(57)【要約】【課題】  従来検出できなかったストロボの充電検出回路やメインコンデンサ複数接続によって想定される実装不具合での問題（充電できず・容量不足）の回避。【解決手段】  ストロボの充電電圧検出手段によって、充電動作中の所定電圧：Ｖ１までの充電時間：Ｔを判定し、Ｔが所定時間：Ｔｘより短い場合は通常と異なる制御（警告・禁止・制御テーブル変更等）を行なう。【選択図】  図１
2007219148.tif 000002
【特許請求の範囲】
【請求項１】
ストロボ装置を有する光学機器において、ストロボ発光体に並列に配設された発光エネルギー蓄積用メインコンデンサと、該メインコンデンサに電荷を充電する為の充電手段と、該充電手段により充電されていく電圧を検出する充電電圧検出手段と、該充電手段や該充電電圧検出手段の動作および該光学機器の制御を行なう制御手段を備え、該制御手段により充電動作が開始された後、充電電圧検出手段は所定電圧までの充電時間を判定し、該判定結果が所定時間より短いと判定された場合、通常と異なる制御を行なうことを特徴としたストロボ装置を有する光学機器。
【請求項２】
ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の制御を行なう制御手段を備え、該制御手段により充電動作が開始された後、充電電圧検出手段は所定電圧までの充電時間を判定し、該判定結果が所定時間より短いと判定された場合、通常と異なる制御を行なうことを特徴としたストロボ装置を有する光学機器。
【請求項３】
上記請求項１乃至請求項２において、通常と異なる制御とは、警告制御であることを特徴とするストロボ装置を有する光学機器。
【請求項４】
上記請求項１乃至請求項３において、通常と異なる制御とは、露光動作禁止とすることを含むことを特徴とするストロボ装置を有する光学機器。
【請求項５】
上記請求項１乃至請求項４において、充電電圧検出手段は所定電圧までの充電時間が所定時間より短いか否かの判定は、充電状況によって判定するか否かを変更することを特徴とするストロボ装置を有する光学機器。
【請求項６】
上記請求項５において、充電電圧検出手段は所定電圧までの充電時間判定は、少なくともストロボ発光直後の充電動作時に行なうことを特徴とするストロボ装置を有する光学機器。
【請求項７】
上記請求項５において、充電電圧検出手段は所定電圧までの充電時間判定は、ストロボ充電開始前の充電電圧検出結果によって判断を変更することを特徴とするストロボ装置を有する光学機器。
【請求項８】
上記請求項１乃至請求項７において、充電時間判定の基準になる所定時間は、電源電圧に応じて変化させることを特徴とするストロボ装置を有する光学機器。
【請求項９】
上記請求項１乃至請求項７において、充電時間判定の基準になる所定時間は、環境温度に応じて変化させることを特徴とするストロボ装置を有する光学機器。
【請求項１０】
ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の制御を行なう制御手段を備え、該制御手段により充電動作が開始された後、充電電圧検出手段は所定電圧までの充電時間を判定し、該判定結果の充電時間からメインコンデンサの接続状況を推測し、接続状況に応じたストロボ撮影制御を行なうことを特徴としたストロボ装置を有する光学機器。
【請求項１１】
上記請求項１０において、推測されたメインコンデンサの接続状況に応じて、露光時間およびストロボ発光タイミングを補正することを特徴とするストロボ装置を有する光学機器。
【発明の詳細な説明】
【技術分野】
【０００１】
本発明は、ストロボを備えた銀塩カメラ・デジタルカメラ等の光学機器に関するものである。
【背景技術】
【０００２】
近年、銀塩カメラ（フィルムカメラ）やデジタルカメラには、暗所での撮影を行なう際に使用するストロボ装置が内蔵されているのが一般的になっている。
【０００３】
該ストロボ装置は発光体となるキセノン管（以後、Ｘｅと称する）と発光エネルギーを蓄積するためのメインコンデンサ（以後、ＭＣと称する）が並列に接続され、撮影動作（露光動作）時に、発光制御する（トリガをかける）ことにより、該ＭＣからＸｅへのエネルギー放出を行い、Ｘｅが発光するものである。
【０００４】
該ＭＣは、求められる容量・電圧が大きい為、形状的が大きくなってしまう問題があるが、近年の光学機器の小型化に伴い、容量・形状の小さめのＭＣを複数使用し並列接続することで、必要な容量を確保するとともに構造的な制約内での配置自由度を広げる構成を取っているものも多く存在する。
【０００５】
当然、該ストロボ装置には、該ＭＣへの電荷蓄積のための充電手段を有しており、ストロボ発光による電荷放出後や、撮影直前の被写体輝度が暗い場合等にＭＣへの必要電荷（電圧）の充電動作を行う。
【０００６】
また、充電電圧を検出する充電電圧検出手段を備えているものが一般的であり、該検出手段は、ＭＣ充電時に所定の充電電圧に達したのを検出し、充電手段を停止させるのを主目的とするが、該検出手段はトラブル回避機能として、ＭＣの充電電圧が所定時間内に所定電圧まで充電できていないと判断した場合、充電機能に異常があるとして、警告や撮影禁止等の処理を行なうのも一般的となってきている。
【０００７】
該トラブル回避機能については、特公平４−５９６２２では“第1所定電圧−第２所定電圧間の充電時間を測定することで、第２所定時間−第３所定時間までの充電予測時間を算出し、該充電予測時間が所定時間以上かかる場合は警告する”というものが提案されている。また、特許第２６８３８００号では“レリーズ釦操作毎に、充電検出を行ない、所定時間内に充電完了を検出できない場合には露光不能にする”ことが提案され、特開平１１−２３７６６８では“所定間隔で電圧検出を行い、検出電圧と基準値の比較結果で（基準値を満たしていないとき）充電動作を禁止する”等の提案がなされている。
【０００８】
つまり、いづれも、充電に時間がかかりすぎる（所定時間内に所定電圧の充電が行えない）と判断された場合のトラブル回避策である。
【特許文献１】特公平４−５９６２２号公報
【特許文献２】特登録２６８３８００号公報
【特許文献３】特開平１１−２３７６６８号公報
【発明の開示】
【発明が解決しようとする課題】
【０００９】
しかしながら、充電電圧検出手段にはさまざまな構成があり、そのトラブル状況によっては、回路内の断線により、充電がなされていないのに、既に充電完了という判断をしてしまうものもある。
【００１０】
例えば、充電電圧検出回路が図２に示すような回路構成だった場合を考える。
【００１１】
該充電電圧検出回路は、電源（例えば３Ｖ電池）の電圧を、周知の昇圧回路（例えば、昇圧トランスの１次側に電池電圧をパルス印加し、２次側に巻線比分の電圧を発生させる方式で、具体的にはフライバック方式やフォアード方式等があるが、周知である為ここでの詳細説明は割愛する）を用いた充電手段の出力を、逆流防止ダイオード：Ｄ１およびＤ２を介して発光エネルギー蓄積用コンデンサ：ＭＣ（本図においてはＭＣ１とＭＣ２の並列接続された２つの発光エネルギー蓄積用コンデンサを総称してＭＣとする）に充電される電圧：ＨＶを低電圧回路（例えば３Ｖ系回路）で検出するために、Ｄ１―Ｄ２間に検出抵抗（ＨＶの分圧抵抗）：Ｒ１およびＲ２と平滑コンデンサ：Ｃ１を配置した構成になっている。
【００１２】
すなわち、該充電電圧検出では、ＭＣの充電電圧：ＨＶ を、抵抗：Ｒ１およびＲ２により分圧した電圧：ＨＶ’により検出する。
【００１３】
ＨＶ’≒ ＨＶ×Ｒ２／（Ｒ１＋Ｒ２）であり、仮に ＨＶ＝３２０Ｖ、Ｒ１＝４ＭΩ、Ｒ２＝２０ｋΩの場合、ＨＶ’≒３２０×（２０×１０３）／｛（４×１０６）＋（２０×１０３）｝≒１．５９２Ｖで検出できる。
【００１４】
該ＨＶ’はＡ／Ｄコンバータを備えた制御回路により検出され、該検出結果で所定値の充電がなされたか否かの判定を行い、制御状態を変化させる。
【００１５】
例えば、充電電圧が充電完了相当（例えば、ＨＶ＝３２０Ｖ充電完了の設定だった場合、ＨＶ’＝１．５９２Ｖ）になったら充電動作を停止したり、充電動作開始後に所定時間内に所定電圧まで充電できなかった（例えば、充電開始後、３ｓｅｃ以内にＨＶが１５０Ｖに達しない）場合、充電回路もしくは充電電圧検出手段に問題があると判断して充電動作停止とともに警告・撮影動作禁止等の制御を行なったりする。
【００１６】
しかし、上記該充電電圧検出手段において、Ｒ１とＲ２の結線が何らかの要件で断線し、Ｒ１から直接制御回路へＨＶ’が印加された場合、分圧されていないため ＨＶ≒ＨＶ’となり、充電電圧が直接制御回路（Ａ／Ｄコンバータ）へ入力されるので、充電を開始した直後のわずかな充電電圧でも充電完了相当の判断を行なってしまい、何の問題もなく正常動作として充電動作を停止してしまう。
該問題に対して、上記の提案件の内容では、問題を回避することはできない。
【００１７】
また、容量・形状の小さめのＭＣを複数使用し並列接続する場合においても、一部のコンデンサが結線不良を起こした場合、正常接続されているコンデンサ（例えばＭＣ１）が正常ならば、ＭＣ１に対しては正常に充電が行なわれる為、充電電圧検出は正常な結果となるが、結線不良を起こしたコンデンサ（例えばＭＣ２）分の容量のエネルギーが不足することになり、該状況でストロボの発光を行なった場合、所望の光量を得ることが出来ず、撮影されたシーンは露出不足の写真となってしまう。
【００１８】
具体例を示すと、例えば、ＭＣ１＝ＭＣ２として各々３２０Ｖ／１００μＦのコンデンサを並列接続使用する場合、３２０Ｖ／２００μＦ相当の容量を使用していることに相当するが、結線異常によりＭＣ１だけを使用するようになった場合、３２０Ｖ／１００μＦとなってしまう。
【００１９】
この場合、容量が少ない分、充電時間は早くなり、且つ、充電電圧自体は３２０Ｖまで充電できる為、従来の充電検出手段では異常を検出できない。
【００２０】
しかし、２００μＦ相当時の光量をＱａ・１００μＦ時の光量をＱｂとして比光量を考えると、
Ｑｂ／Ｑａ ＝ （０．５・Ｃｂ・Ｖｂ２）／（０．５・Ｃａ・Ｖａ２）
＝（０．５×１００×１０−６×３２０２）／
（０．５×２００×１０−６×３２０２）
＝（５．１２／１０．２４）
＝０．５
となる。
【００２１】
当然ながら、この状態でストロボ撮影した場合は、光量不足となってしまう。
【００２２】
該問題に対しても、所定時間内での所定電圧の検出が出来る（充電できたと判断される）ため、上記の提案件の内容では、問題を回避することはできない。
【００２３】
（発明の目的）
本発明の目的は、ストロボを備えた光学機器における、従来の方式で検出しえないトラブルを検出し、警告・禁止等の回避措置を取る、もしくは、トラブル状況に応じた撮影手法をとることにより、使用者の予想し得ない失敗をなくすことである。
【課題を解決するための手段】
【００２４】
上記問題を鑑みて、本発明は、ストロボ装置を有する光学機器において、ストロボ発光体に並列に配設された発光エネルギー蓄積用メインコンデンサと、該メインコンデンサに電荷を充電する為の充電手段と、該充電手段により充電されていく電圧を検出する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果が所定時間より短いと判定された場合、通常と異なる制御を行なうこと、
もしくは、ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果が所定時間より短いと判定された場合、通常と異なる制御を行なうこと、
さらに、上記の通常と異なる制御とは、警告制御であることや露光動作禁止とすることとすることで、ストロボ撮影におけるトラブルを事前に警告・回避することが可能となる。
【００２５】
加えて、充電電圧検出手段は所定電圧までの充電時間判定は、充電状況によって判定するか否かを変更すること、
具体的には、充電電圧検出手段は所定電圧までの充電時間判定は、ストロボ発光直後の充電動作に行なうことや、ストロボ充電開始前の充電電圧検出結果によって行なうか否かの判断をすること、
また、充電時間判定の基準になる所定時間は、電源電圧・環境温度応じて変化させることにより、トラブル検知の確度を上げるを可能とする。
【００２６】
また、ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果の充電時間からメインコンデンサの接続状況を推測し、接続状況に応じたストロボ撮影制御を行なうこと、
具体的には、推測されたメインコンデンサの接続状況に応じて、露光時間およびストロボ発光タイミングを補正することによって、トラブル発生時の撮影禁止状況を最小限に留め、使用者への影響を少なくするものである。
【発明の効果】
【００２７】
以上説明したとおり、本発明は、ストロボ装置を有する光学機器において、ストロボ発光体に並列に配設された発光エネルギー蓄積用メインコンデンサと、該メインコンデンサに電荷を充電する為の充電手段と、該充電手段により充電されていく電圧を検出する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果が所定時間より短いと判定された場合、通常と異なる制御を行なうこと、もしくは、ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果が所定時間より短いと判定された場合、通常と異なる制御を行なうこと、さらに、上記の通常と異なる制御とは、警告制御であることや露光動作禁止とすることとすることで、ストロボ撮影におけるトラブルを事前に警告・回避することが可能となった。
【００２８】
加えて、充電電圧検出手段は所定電圧までの充電時間判定は、充電状況によって判定するか否かを変更すること、具体的には、充電電圧検出手段は所定電圧までの充電時間判定は、ストロボ発光直後の充電動作に行なうことや、ストロボ充電開始前の充電電圧検出結果によって行なうか否かの判断をすること、また、充電時間判定の基準になる所定時間は、電源電圧・環境温度応じて変化させることにより、トラブル検知の確度を上げるを可能となった。
【００２９】
また、ストロボ装置を有する光学機器において、ストロボ発光体に並列に配設された発光エネルギー蓄積用メインコンデンサを少なくとも２つ並列配設として備え、該メインコンデンサに電荷を充電する為の充電手段と、該充電手段により充電されていく電圧を観測する充電電圧検出手段と、該充電手段や該充電電圧検出手段の動作および該光学機器の露出制御等を行なう制御手段を備え、該制御手段により充電動作が開始された後、充電電圧検出手段は所定電圧までの充電時間を判定し、該判定結果の充電時間からメインコンデンサの接続状況を推測し、接続状況に応じたストロボ撮影制御を行なうこと、具体的には、推測されたメインコンデンサの接続状況に応じて、露光時間およびストロボ発光タイミングを補正することによって、トラブル発生時の撮影禁止状況を最小限に留め、使用者への影響を少なくなった。
【発明を実施するための最良の形態】
【００３０】
（第１の実施例）
本発明の第１の実施例を図１乃至図５を用いて説明する。
【００３１】
図１は本発明の第１の実施例におけるカメラの主要部分の回路ブロック図である。
【００３２】
該図１において、1はカメラの電源電池、２はカメラの各種動作を制御するマイクロコンピュータ等の制御回路であり、内部にストロボ発光エネルギー蓄積用コンデンサ（メインコンデンサ）：ＭＣ１乃至ＭＣ２の充電電圧を検出する為の、（充電電圧検出手段の一部である）Ａ／Ｄコンバーター、ストロボ充電時間等を計時をするためのタイマー手段、各種データを記憶するためのメモリーを備える。本実施例では、該制御手段２は後述するストロボ充電手段や充電電圧検出手段等の制御も行なうものである。
【００３３】
３は写真撮影動作を開始させるためのレリーズスイッチであり、該レリーズスイッチ３がＯＮされた場合に、制御手段２により撮影シーケンス・充電シーケンス等の制御が行なわれる。
【００３４】
４はストロボ装置であり、該ストロボ装置４は、周知の昇圧回路を含む充電手段４−１と、該充電手段４−１が昇圧した電圧を発光エネルギーとして蓄積するメインコンデンサ：ＭＣ１およびＭＣ２（本実施例では、並列接続された該ＭＣ１および該ＭＣ２を総称してＭＣと称する）と、該メインコンデンサＭＣに蓄積された電圧を検出するための充電電圧検出回路４−２と、該メインコンデンサの蓄積エネルギーにより発光する発光体であるキセノン管Ｘｅと、該キセノン管Ｘｅへ該メインコンデンサの蓄積エネルギーを放出させ発光させるための発光制御手段４−３を備えている。
【００３５】
なお、該充電電圧検出回路４−２の詳細構成を図２に示す。
【００３６】
（該図２に関しては、既に説明済みであるため、ここでの説明は割愛する。）
本実施例では、該充電電圧検出回路４−２と該制御手段２（内蔵のＡ／Ｄコンバーターや充電制御）を含んだシステムを「充電電圧検出手段」と称する。
【００３７】
５は被写体の明るさを測定する周知の測光手段（以後、ＡＥ手段と称する）、６は被写体までの距離を測定する周知の測距手段（以後、ＡＦ手段と称する）、７は不図示のフィルムへの露光制御を行なう周知のシャッター手段（以後、ＳＨ手段と称する）、８はフィルムを所定位置に動かす周知のフィルム給送手段である。
【００３８】
９はカメラのモード状態や撮影可能枚数・トラブル状況の警告等に使用されるＬＣＤ・ＬＥＤ等の周知の表示手段である。
【００３９】
図３乃至図５は本発明の第１の実施例におけるカメラのシーケンスフローチャートであり、図３はレリーズスイッチ３がＯＮされた場合の制御回路２のシーケンスを示す。
【００４０】
Ｓ１０１は、制御回路２内のメモリーの所定のエリアに動作不良発生を意味する「ＮＧフラグ」が設定されているか否かを判定し、設定されていれば（“１”ならば）該シーケンスを終了し待機状態へ、設定されていなければ（“１”でなければ）Ｓ１０２へ移行する。
【００４１】
すなわち、「ＮＧフラグ」が設定されている場合、露光を行なわず（露光を禁止して）待機状態へ移行する。
【００４２】
なお、動作不良が発生した場合、「ＮＧフラグ」設定時点で表示手段９等にその旨を警告する表示を行なうものであるため、「ＮＧフラグ」が確認された際には、使用者は表示手段による警告を確認できているものとする。
【００４３】
Ｓ１０２は、該ＡＥ手段５により、周知の測光方法で被写体の明るさ：ＡＥを測定する。
【００４４】
Ｓ１０３は、予め設定されている基準の明るさ：ＢとＳ１０２で測定した被写体の明るさ：ＡＥを比較し、ＡＥ＜ＢであればＳ１０４へ、ＡＥ＜ＢでなければＳ１０７へ移行する。
【００４５】
Ｓ１０４は、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００４６】
該充電電圧検出は、既に説明している通り、ＨＶを直接測定するわけではなく、分割抵抗を介した電圧ＨＶ’を測定し、該電圧：ＨＶ’からＨＶを求める。
【００４７】
Ｓ１０５は、上記Ｓ１０４で求めたＨＶと充電完了判定電圧：Ｖｆｕｌｌを比較し、ＨＶ≧Ｖｆｕｌｌの場合はＳ１０７へ、ＨＶ≧Ｖｆｕｌｌでない場合はＳ１０６へ移行する。
【００４８】
Ｓ１０６は、ストロボ充電動作１のシーケンスに入る。詳細は図４で後述するが、該ステップＳ１０６の充電動作は、残電圧が状況によって異なるので、従来どおりの充電動作であり、ＮＧチェック動作は充電完了までの時間が基準値:Ｔｆｕｌｌ未満か否かの確認のみを行なうものである。
【００４９】
Ｓ１０７は、該ＡＦ手段６により、周知の測距方法で被写体の距離を測定する。
【００５０】
Ｓ１０８は、Ｓ１０２で測定した測光結果およびＳ１０７で測定した測距結果を基に、適正のピント・シャッター速度・ストロボ発光有無・ストロボ制御タイミング等の露光条件を求める演算を行なう。
【００５１】
なお、該Ｓ１０８では、適正露光を得るためにストロボ発光させる必要がある場合は、該制御回路２内のメモリーの所定エリアにストロボ発光指示用のストロボ発光フラグを設定する。
【００５２】
Ｓ１０９は、上記Ｓ１０８で求めた露光条件に基づき該ＳＨ手段７の制御を行なう周知の露光動作を行なう。
【００５３】
該Ｓ１０９では、上記Ｓ１０８で該ストロボ発光フラグが設定されている場合、ストロボ発光による露光動作を行なう。
【００５４】
Ｓ１１０は、該給送手段８により、不図示のフィルムを移動させる（次の露光コマを不図示のアパーチャー位置に設定する）給送動作を行なう。
【００５５】
Ｓ１１１はストロボ発光の履歴を確認する為、該制御回路２内のメモリーのストロボ発光フラグの状態を確認し、該ストロボ発光フラグがストロボ発光に設定されている場合（Ｓ１０９でストロボ発光した場合）はＳ１１２へ、該ストロボ発光フラグがストロボ発光に設定されていない場合は待機状態へ移行する。なお、該Ｓ１１１を終了する際は、判定動作後、ストロボ発光フラグのデータをリセットするものである。
【００５６】
Ｓ１１２は、ストロボ発光直後の充電動作であるところの、ストロボ充電動作２のシーケンスに入る。詳細は図５で後述するが、該ステップＳ１１２の充電動作は、発光後であり残電圧はほとんど同じ状況になるので、ＮＧチェック動作は充電完了までの時間が基準値:Ｔｆｕｌｌ未満か否かの確認、および、所定電圧：Ｖ１までの充電時間が基準時間：Ｔｘ以上か否かの確認を行なうものである。
【００５７】
該Ｓ１１２を終了したら該制御回路２は操作待機状態となる。
【００５８】
以上が、レリーズスイッチ３がＯＮされた場合の制御回路２のシーケンスである。
【００５９】
図４は上記図３におけるＳ１０６の充電動作１の詳細シーケンスを示す。
【００６０】
Ｓ２０１は、該制御回路２内のタイマー：Ｔをリセットする。
【００６１】
Ｓ２０２は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００６２】
Ｓ２０３は、ストロボ装置４の充電手段４−１を駆動し、メインコンデンサＭＣへの充電を開始する。
【００６３】
Ｓ２０４は、表示手段９により、ストロボの充電動作中を示す警告表示（例えばイナズママークの点滅等）を行なう。
【００６４】
Ｓ２０５は、該制御回路２内のタイマー：Ｔのカウントをスタートする。
【００６５】
Ｓ２０６は、Ｓ２０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００６６】
Ｓ２０７は、前記Ｓ２０６で測定した充電電圧：ＨＶと比較電圧：Ｖｆｕｌｌ(本実施例では充電完了電圧。〔例えば、３２０Ｖ〕)と比較し、ＨＶ≧Ｖｆｕｌｌの場合はＳ２１２へ、ＨＶ≧Ｖｆｕｌｌでない場合はＳ２０８へ移行する。
【００６７】
Ｓ２０８は、前記Ｓ２０５でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ２０９へ、Ｔ≧Ｔｆｕｌｌでない場合はＳ２０６へ移行する。
【００６８】
Ｓ２０９は、ストロボ装置４の充電手段４−１の駆動を停止し、メインコンデンサＭＣへの充電を終了する。
【００６９】
Ｓ２１０は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【００７０】
Ｓ２１１は、表示手段９により、充電の問題を意味する警告表示（例えば、“Ｈ”（Ｈｅｌｐマーク１）点滅）を行ない、次動作待機状態となる。
【００７１】
Ｓ２１２は、Ｓ２０９と同様に、ストロボ装置４の充電手段４−１の駆動を停止し、メインコンデンサＭＣへの充電を終了する。
【００７２】
Ｓ２１３は、表示手段９により、ストロボの充電完了を示す表示（例えばイナズママークの点灯等）を行ない、次動作待機状態となる。
【００７３】
以上が、上記図３におけるＳ１０６の充電動作１の詳細シーケンスである。
【００７４】
図５は上記図３におけるＳ１１２の充電動作２の詳細シーケンスを示す。
【００７５】
Ｓ３０１は、該制御回路２内のタイマー：Ｔをリセットする。
【００７６】
Ｓ３０２は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００７７】
Ｓ３０３は、ストロボ装置４の充電手段４−１を駆動し、メインコンデンサＭＣへの充電を開始する。
【００７８】
Ｓ３０４は、表示手段９により、ストロボの充電動作中を示す警告表示（例えばイナズママークの点滅等）を行なう。
【００７９】
Ｓ３０５は、該制御回路２内のタイマー：Ｔのカウントをスタートする。
【００８０】
Ｓ３０６は、Ｓ３０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００８１】
Ｓ３０７は、前記Ｓ３０６で測定した充電電圧：ＨＶと比較電圧：Ｖ１ (本実施例では充電完了電圧の８０％〔例えば、２５６Ｖ〕)と比較し、ＨＶ≧Ｖ１の場合はＳ３１２へ、ＨＶ≧Ｖ１でない場合はＳ３０８へ移行する。
【００８２】
Ｓ３０８は、前記Ｓ３０５でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ３０９へ、Ｔ≧Ｔｆｕｌｌでない場合はＳ３０６へ移行する。
【００８３】
Ｓ３０９は、ストロボ装置４の充電手段４−１の駆動を停止し、メインコンデンサＭＣへの充電を終了する。
【００８４】
Ｓ３１０は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【００８５】
Ｓ３１１は、表示手段９により、充電の問題を意味する警告表示（例えば、“Ｈ１”（Ｈｅｌｐマーク１）点滅）を行ない、次動作待機状態となる。
【００８６】
Ｓ３１２は、前記Ｓ３０５でカウントを開始したタイマー：Ｔを所定時間：Ｔｘ (本実施例では正常時のメインコンデンサＭＣが０Ｖ〜Ｖｘできるまでの時間の１／２の約１．２倍〔例えば、２ｓｅｃ〕)と比較し、Ｔ＜Ｔｘの場合はＳ３１３へ、Ｔ＜Ｔｘでない場合はＳ３１６へ移行する。
【００８７】
Ｓ３１３は、ストロボ装置４の充電手段４−１の駆動を停止し、メインコンデンサＭＣへの充電を終了する。
【００８８】
Ｓ３１４は、所定時間：Ｔｘが経過する前に所定電圧：Ｖｘまでの充電がなされたとして、正常時よりも充電時間が早いため、何らかの異常があると判断して、制御回路２内のメモリーの所定エリアにある「ＮＧフラグ」（充電ＮＧフラグ２）を設定する。
【００８９】
Ｓ３１５は、表示手段９により、充電の問題を意味する警告表示（例えば、“Ｈ２”（Ｈｅｌｐマーク２）点滅）を行ない、次動作待機状態となる。
【００９０】
Ｓ３１６は、Ｓ３０６と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【００９１】
Ｓ３１７は、前記Ｓ３１６で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ３１９へ、ＨＶ≧Ｖｆｕｌｌでない場合はＳ３１８へ移行する。
【００９２】
Ｓ３１８は、前記Ｓ３０５でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ３０９へ、Ｔ≧Ｔｆｕｌｌでない場合はＳ３１６へ移行する。
【００９３】
Ｓ３１９は、ストロボ装置４の充電手段４−１の駆動を停止し、メインコンデンサＭＣへの充電を終了する。
【００９４】
Ｓ３２０は、表示手段９により、ストロボの充電完了を示す表示（例えばイナズママークの点灯等）を行ない、次動作待機状態となる。
【００９５】
以上が、上記図３におけるＳ１１２の充電動作２の詳細シーケンスである。
【００９６】
すなわち、本発明の第１の実施例においては、所定電圧：Ｖｘまでの充電時間が所定時間：Ｔｘより短い場合、通常とは異なる制御であるところの警告表示および撮影（露光動作）禁止動作を行なうこととなる。
【００９７】
また、所定電圧：Ｖｘまでの充電時間が所定時間：Ｔｘより短いか否かの判定は、露光動作時にストロボ発光がなされた場合、つまり、ストロボ発光によりメインコンデンサＭＣの充電電圧がほとんどないという充電状況の場合の、ストロボ発光直後の充電動作（充電動作２）で行なっている。
【００９８】
なお、図１４には、本発明の充電電圧検出手段におけるメインコンデンサＭＣの充電カーブを示している。
【００９９】
メインコンデンサＭＣ（ＭＣ１とＭＣ２の並列接続）の接続が正常な場合は、所定電圧：Ｖ１までの充電時間が所定時間：Ｔｘより長く、所定電圧：Ｖｆｕｌｌまでの充電時間が所定時間：Ｔｆｕｌｌより短くなっている。
【０１００】
しかし、メインコンデンサＭＣの接続が異常な場合（例えば、ＭＣ１の接続リード線がはずれた場合）、所定電圧：Ｖ１までの充電時間が所定時間：Ｔｘより短くなっている。
【０１０１】
該状況は、本発明の充電シーケンス２である充電動作２（図５）で異常判定することができる。
【０１０２】
（第２の実施例）
本発明の第２の実施例を図６乃至図７を用いて説明する。
【０１０３】
なお、カメラの構成等は本発明第１の実施例と同様であり、既に説明済みであるため、ここでの説明は割愛する。
【０１０４】
図６はレリーズスイッチ３がＯＮされた場合の制御回路２のシーケンスを示す。
【０１０５】
Ｓ４０１は、制御回路２内のメモリーの所定のエリアに動作不良発生を意味する「ＮＧフラグ」が設定されているか否かを判定し、設定されていれば（“１”ならば）該シーケンスを終了し待機状態へ、設定されていなければ（“１”でなければ）Ｓ４０２へ移行する。
【０１０６】
すなわち、「ＮＧフラグ」が設定されている場合、露光を行なわず（露光を禁止して）待機状態へ移行する。
【０１０７】
なお、動作不良が発生した場合、「ＮＧフラグ」設定時点で表示手段９等にその旨を警告する表示を行なうものであるため、「ＮＧフラグ」が確認された際には、使用者は表示手段による警告を確認できているものとする。
【０１０８】
Ｓ４０２は、該ＡＥ手段５により、周知の測光方法で被写体の明るさ：ＡＥを測定する。
【０１０９】
Ｓ４０３は、予め設定されている基準の明るさ：ＢとＳ４０２で測定した被写体の明るさ：ＡＥを比較し、ＡＥ＜ＢであればＳ４０４へ、ＡＥ＜ＢでなければＳ４０６へ移行する。
【０１１０】
Ｓ４０４は、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１１１】
該充電電圧検出は、既に説明している通り、ＨＶを直接測定するわけではなく、分割抵抗を介した電圧ＨＶ’を測定し、該電圧：ＨＶ’からＨＶを求める。
【０１１２】
Ｓ４０５は、上記Ｓ４０４で求めたＨＶと充電完了判定電圧：Ｖｆｕｌｌを比較し、ＨＶ≧Ｖｆｕｌｌの場合はＳ４０６へ、ＨＶ≧Ｖｆｕｌｌでない場合はＳ４１１へ移行する。
【０１１３】
Ｓ４０６は、該ＡＦ手段６により、周知の測距方法で被写体の距離を測定する。
【０１１４】
Ｓ４０７は、Ｓ４０２で測定した測光結果およびＳ１０７で測定した測距結果を基に、適正のピント・シャッター速度等の露光条件を求める演算を行なう。
【０１１５】
なお、該Ｓ４０７では、適正露光を得るためにストロボ発光させる必要がある場合は、該制御回路２内のメモリーの所定エリアにストロボ発光指示用のストロボ発光フラグを設定する。
【０１１６】
Ｓ４０８は、上記Ｓ４０７で求めた露光条件に基づき該ＳＨ手段７の制御を行なう周知の露光動作を行なう。
【０１１７】
該Ｓ４０８では、上記Ｓ４０７で該ストロボ発光フラグが設定されている場合、ストロボ発光による露光動作を行なう。
【０１１８】
Ｓ４０９は、該給送手段８により、不図示のフィルムを移動させる（次の露光コマを不図示のアパーチャー位置に設定する）給送動作を行なう。
【０１１９】
Ｓ４１０はストロボ発光の履歴を確認する為、該制御回路２内のメモリーのストロボ発光フラグの状態を確認し、該ストロボ発光フラグがストロボ発光に設定されている場合（Ｓ４０８でストロボ発光した場合）はＳ４１１へ、該ストロボ発光フラグがストロボ発光に設定されていない場合は待機状態へ移行する。なお、該Ｓ４１０を終了する際は、判定動作後、ストロボ発光フラグのデータをリセットするものである。
【０１２０】
Ｓ４１１は、ストロボ充電動作３のシーケンスに入る。詳細は図７で後述するが、該ステップＳ４１１の充電動作は、発光後であり残電圧はほとんど同じ状況になるので、ＮＧチェック動作は充電完了までの時間が基準値:Ｔｆｕｌｌ未満か否かの確認、および、所定電圧：Ｖ１までの充電時間が基準時間：Ｔｘ以上か否かの確認を行なうものである。
【０１２１】
該Ｓ４１１を終了したら該制御回路２は操作待機状態となる。
【０１２２】
以上が、本発明の第２の実施例におけるレリーズスイッチ３がＯＮされた場合の制御回路２のシーケンスである。
【０１２３】
図７は上記図６におけるＳ４１１の充電動作３の詳細シーケンスを示す。
【０１２４】
Ｓ５０１は、該制御回路２内のタイマー：Ｔをリセットする。
【０１２５】
Ｓ５０２は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１２６】
Ｓ５０３は、ストロボ装置４の充電手段４−１を駆動し、メインコンデンサＭＣへの充電を開始する。
【０１２７】
Ｓ５０４は、表示手段９により、ストロボの充電動作中を示す警告表示（例えばイナズママークの点滅等）を行なう。
【０１２８】
Ｓ５０５は、該制御回路２内のタイマー：Ｔのカウントをスタートする。
【０１２９】
Ｓ５０６は、前記Ｓ５０２で測定した充電電圧：ＨＶと比較電圧：Ｖ０ (本実施例では充電完了電圧の１／２〔例えば、２１０Ｖ〕)と比較し、ＨＶ＞Ｖ０の場合はＳ５１７へ、ＨＶ＞Ｖ０でない場合はＳ５０７へ移行する。
【０１３０】
Ｓ５０７は、Ｓ５０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１３１】
Ｓ５０８は、前記Ｓ５０７で測定した充電電圧：ＨＶと比較電圧：Ｖ１ (本実施例では充電完了電圧の８０％〔例えば、２５６Ｖ〕)と比較し、ＨＶ≧Ｖ１の場合はＳ５１３へ、ＨＶ≧Ｖ１でない場合はＳ５０９へ移行する。
【０１３２】
Ｓ５０９は、前記Ｓ５０５でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ５１０へ、Ｔ≧Ｔｆｕｌｌでない場合はＳ５０７へ移行する。
【０１３３】
Ｓ５１０は、ストロボ装置４の充電手段４−１の駆動を停止し、メインコンデンサＭＣへの充電を終了する。
【０１３４】
Ｓ５１１は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０１３５】
Ｓ５１２は、表示手段９により、充電の問題を意味する警告表示（例えば、“Ｈ１”（Ｈｅｌｐマーク１）点滅）を行ない、次動作待機状態となる。
【０１３６】
Ｓ５１３は、前記Ｓ５０５でカウントを開始したタイマー：Ｔを所定時間：Ｔｘ (本実施例では正常時のメインコンデンサＭＣが０Ｖ〜Ｖｘできるまでの時間の１／２の約１．２倍〔例えば、２ｓｅｃ〕)と比較し、Ｔ＜Ｔｘの場合はＳ５１４へ、Ｔ＜Ｔｘでない場合はＳ５１７へ移行する。
【０１３７】
Ｓ５１４は、ストロボ装置４の充電手段４−１の駆動を停止し、メインコンデンサＭＣへの充電を終了する。
【０１３８】
Ｓ５１５は、所定時間：Ｔｘが経過する前に所定電圧：Ｖｘまでの充電がなされたとして、正常時よりも充電時間が早いため、何らかの異常があると判断して、制御回路２内のメモリーの所定エリアにある「ＮＧフラグ」（充電ＮＧフラグ２）を設定する。
【０１３９】
Ｓ５１６は、表示手段９により、充電の問題を意味する警告表示（例えば、“Ｈ２”（Ｈｅｌｐマーク２）点滅）を行ない、次動作待機状態となる。
【０１４０】
Ｓ５１７は、Ｓ５０７と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１４１】
Ｓ５１８は、前記Ｓ５１７で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ５２０へ、ＨＶ≧Ｖｆｕｌｌでない場合はＳ５１９へ移行する。
【０１４２】
Ｓ５１９は、前記Ｓ５０５でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ５１０へ、Ｔ≧Ｔｆｕｌｌでない場合はＳ５１７へ移行する。
【０１４３】
Ｓ５２０は、ストロボ装置４の充電手段４−１の駆動を停止し、メインコンデンサＭＣへの充電を終了する。
【０１４４】
Ｓ５２１は、表示手段９により、ストロボの充電完了を示す表示（例えばイナズママークの点灯等）を行ない、次動作待機状態となる。
【０１４５】
以上が、上記図６におけるＳ４１１の充電動作２の詳細シーケンスである。
【０１４６】
上記本発明の第２の実施例では、充電電圧：ＨＶの充電状況が、比較電圧Ｖ０より高いか否かによって、所定電圧：Ｖｘまでの充電時間が所定時間：Ｔｘより短いか否かの判定を行なうか否かの判定を行なっている。
【０１４７】
なお、上記本発明の第２の実施例においては比較電圧：Ｖ０を基準に、所定時間：Ｔｘより短いか否かの判定を行なうという２値的な切換になっているが、本発明はそれに限ったものではなく、例えば、メインコンデンサＭＣの電圧：ＨＶの測定結果から、所定時間：Ｔｘや所定電圧：Ｖ１を可変設定することで、より細かな接続トラブル検知を行うことが可能となる。
【０１４８】
具体的には、ＨＶが５０Ｖの場合はＶ１：２５６Ｖ，Ｔｘ：１．２ｓｅｃだが、ＨＶが１００Ｖの場合はＶ１：２８０Ｖ，Ｔｘ：１．８ｓｅｃ、ＨＶが２００Ｖの場合はＶ１：３００Ｖ，Ｔｘ：２．５ｓｅｃ等を、充電回路の効率とコンデンサ特性から算出して変化させたり、データテーブルを基に変化させたりしても何ら本発明の主旨に反するものではない。
【０１４９】
（第３の実施例）
本発明の第３の実施例を図８を用いて説明する。
【０１５０】
なお、カメラの構成等は本発明第１の実施例と同様であり、既に説明済みであるため、ここでの説明は割愛する。
【０１５１】
また、レリーズスイッチ３がＯＮされた場合の制御回路２のシーケンスは、本発明の第２の実施例の図６と同様であるため、ここでの説明は割愛する。
【０１５２】
図８は本発明の第３の実施例においての上記図６におけるＳ４１１の充電動作３の詳細シーケンスを示す。
【０１５３】
Ｓ６０１は、不図示の温度センサーにより、温度：Ｔｅｍｐを測定する。
【０１５４】
Ｓ６０２は、Ｓ６０１で測定した温度：Ｔｅｍｐと比較データ：Ｙを比較し、Ｔｅｍｐ＜ＹでなければＳ６０３へ、Ｔｅｍｐ＜ＹならばＳ６０４へ移行する。
【０１５５】
Ｓ６０３は、温度が所定温度：Ｙより高めにあるとして、充電時間測定基準である所定時間：Ｔｘ をＴｘ１に設定する。
【０１５６】
Ｓ６０４は、温度が所定温度：Ｙより低めにあるとして、充電時間測定基準である所定時間：Ｔｘ をＴｘ２に設定する。
【０１５７】
すなわち、該Ｓ６０２乃至Ｓ６０４によって、環境温度に応じて所定時間：Ｔｘを変化させる。
【０１５８】
Ｓ６０５は、該制御回路２内のタイマー：Ｔをリセットする。
【０１５９】
Ｓ６０６は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１６０】
Ｓ６０７は、ストロボ装置４の充電手段４−１を駆動し、メインコンデンサＭＣへの充電を開始する。
【０１６１】
Ｓ６０８は、表示手段９により、ストロボの充電動作中を示す警告表示（例えばイナズママークの点滅等）を行なう。
【０１６２】
Ｓ６０９は、該制御回路２内のタイマー：Ｔのカウントをスタートする。
【０１６３】
Ｓ６１０は、前記Ｓ６０６で測定した充電電圧：ＨＶと比較電圧：Ｖ０ (本実施例では充電完了電圧の１／２〔例えば、２１０Ｖ〕)と比較し、ＨＶ＞Ｖ０の場合はＳ６２１へ、ＨＶ＞Ｖ０でない場合はＳ６１１へ移行する。
【０１６４】
Ｓ６１１は、Ｓ６０６と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１６５】
Ｓ６１２は、前記Ｓ６１１で測定した充電電圧：ＨＶと比較電圧：Ｖ１ (本実施例では充電完了電圧の８０％〔例えば、２５６Ｖ〕)と比較し、ＨＶ≧Ｖ１の場合はＳ６１７へ、ＨＶ≧Ｖ１でない場合はＳ６１３へ移行する。
【０１６６】
Ｓ６１３は、前記Ｓ６０９でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ６１４へ、Ｔ≧Ｔｆｕｌｌでない場合はＳ６１１へ移行する。
【０１６７】
Ｓ６１４は、ストロボ装置４の充電手段４−１の駆動を停止し、メインコンデンサＭＣへの充電を終了する。
【０１６８】
Ｓ６１５は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０１６９】
Ｓ６１６は、表示手段９により、充電の問題を意味する警告表示（例えば、“Ｈ１”（Ｈｅｌｐマーク１）点滅）を行ない、次動作待機状態となる。
【０１７０】
Ｓ６１７は、前記Ｓ６０９でカウントを開始したタイマー：Ｔを前記Ｓ６０３乃至Ｓ６０４で設定した所定時間：Ｔｘと比較し、Ｔ＜Ｔｘの場合はＳ６１８へ、Ｔ＜Ｔｘでない場合はＳ６２１へ移行する。
【０１７１】
Ｓ６１８は、ストロボ装置４の充電手段４−１の駆動を停止し、メインコンデンサＭＣへの充電を終了する。
【０１７２】
Ｓ６１９は、所定時間：Ｔｘが経過する前に所定電圧：Ｖｘまでの充電がなされたとして、正常時よりも充電時間が早いため、何らかの異常があると判断して、制御回路２内のメモリーの所定エリアにある「ＮＧフラグ」（充電ＮＧフラグ２）を設定する。
【０１７３】
Ｓ６２０は、表示手段９により、充電の問題を意味する警告表示（例えば、“Ｈ２”（Ｈｅｌｐマーク２）点滅）を行ない、次動作待機状態となる。
【０１７４】
Ｓ６２１は、Ｓ６１１と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１７５】
Ｓ６２２は、前記Ｓ６２１で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ６２４へ、ＨＶ≧Ｖｆｕｌｌでない場合はＳ６２３へ移行する。
【０１７６】
Ｓ６２３は、前記Ｓ６０９でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ６１４へ、Ｔ≧Ｔｆｕｌｌでない場合はＳ６２１へ移行する。
【０１７７】
Ｓ６２４は、ストロボ装置４の充電手段４−１の駆動を停止し、メインコンデンサＭＣへの充電を終了する。
【０１７８】
Ｓ６２５は、表示手段９により、ストロボの充電完了を示す表示（例えばイナズママークの点灯等）を行ない、次動作待機状態となる。
【０１７９】
以上が、本発明の第３の実施例においての上記図６におけるＳ４１１の充電動作２の詳細シーケンス（図８）である。
【０１８０】
なお、本実施例では、温度に関する所定時間：Ｔｘの変化を、切換点を所定温度：Ｙの１ポイントのみとして説明したが、本発明はそれに限られたものではなく、例えば、複数ポイントでの切換や、演算による係数で温度に対するＴｘの変化を行なわせても何ら本発明の主旨に反するものではない。
【０１８１】
（第４の実施例）
本発明の第４の実施例を図９を用いて説明する。
【０１８２】
なお、カメラの構成等は本発明第１の実施例と同様であり、既に説明済みであるため、ここでの説明は割愛する。
【０１８３】
また、レリーズスイッチ３がＯＮされた場合の制御回路２のシーケンスは、本発明の第２の実施例の図６と同様であるため、ここでの説明は割愛する。
【０１８４】
図９は本発明の第３の実施例においての上記図６におけるＳ４１１の充電動作３の詳細シーケンスを示す。
【０１８５】
Ｓ７０１は、制御回路２内のＡ／Ｄコンバータにより電源電池１の電圧：ＶＢＡＴを測定する。
【０１８６】
該ＶＢＡＴ測定時には、電源電池１の内部抵抗分の影響を鑑み、ＳＨ手段等の負荷に通電（閉じ方向通電）を行なった状態でＶＢＡＴを測定する。
【０１８７】
Ｓ７０２は、Ｓ７０１で測定した電源電圧：ＶＢＡＴと比較データ：Ｚを比較し、ＶＢＡＴ＜ＺでなければＳ７０３へ、ＶＢＡＴ＜ＺならばＳ７０４へ移行する。
【０１８８】
Ｓ７０３は、電源電圧：ＶＢＡＴが所定電圧：Ｚより高めにあるとして、充電時間測定基準である所定時間：Ｔｘ をＴｘ１に設定する。
【０１８９】
Ｓ７０４は、電源電圧：ＶＢＡＴが所定電圧：Ｚより低めにあるとして、充電時間測定基準である所定時間：Ｔｘ をＴｘ２に設定する。
【０１９０】
すなわち、該Ｓ７０２乃至Ｓ７０４によって、環境温度に応じて所定時間：Ｔｘを変化させる。
【０１９１】
Ｓ７０５は、該制御回路２内のタイマー：Ｔをリセットする。
【０１９２】
Ｓ７０６は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１９３】
Ｓ７０７は、ストロボ装置４の充電手段４−１を駆動し、メインコンデンサＭＣへの充電を開始する。
【０１９４】
Ｓ７０８は、表示手段９により、ストロボの充電動作中を示す警告表示（例えばイナズママークの点滅等）を行なう。
【０１９５】
Ｓ７０９は、該制御回路２内のタイマー：Ｔのカウントをスタートする。
【０１９６】
Ｓ７１０は、前記Ｓ７０６で測定した充電電圧：ＨＶと比較電圧：Ｖ０ (本実施例では充電完了電圧の１／２〔例えば、２１０Ｖ〕)と比較し、ＨＶ＞Ｖ０の場合はＳ６２１へ、ＨＶ＞Ｖ０でない場合はＳ６１１へ移行する。
【０１９７】
Ｓ７１１は、Ｓ７０６と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０１９８】
Ｓ７１２は、前記Ｓ７１１で測定した充電電圧：ＨＶと比較電圧：Ｖ１ (本実施例では充電完了電圧の８０％〔例えば、２５６Ｖ〕)と比較し、ＨＶ≧Ｖ１の場合はＳ７１７へ、ＨＶ≧Ｖ１でない場合はＳ７１３へ移行する。
【０１９９】
Ｓ７１３は、前記Ｓ７０９でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ７１４へ、Ｔ≧Ｔｆｕｌｌでない場合はＳ７１１へ移行する。
【０２００】
Ｓ７１４は、ストロボ装置４の充電手段４−１の駆動を停止し、メインコンデンサＭＣへの充電を終了する。
【０２０１】
Ｓ７１５は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０２０２】
Ｓ７１６は、表示手段９により、充電の問題を意味する警告表示（例えば、“Ｈ１”（Ｈｅｌｐマーク１）点滅）を行ない、次動作待機状態となる。
【０２０３】
Ｓ７１７は、前記Ｓ７０９でカウントを開始したタイマー：Ｔを前記Ｓ７０３乃至Ｓ７０４で設定した所定時間：Ｔｘと比較し、Ｔ＜Ｔｘの場合はＳ７１８へ、Ｔ＜Ｔｘでない場合はＳ７２１へ移行する。
【０２０４】
Ｓ７１８は、ストロボ装置４の充電手段４−１の駆動を停止し、メインコンデンサＭＣへの充電を終了する。
【０２０５】
Ｓ７１９は、所定時間：Ｔｘが経過する前に所定電圧：Ｖｘまでの充電がなされたとして、正常時よりも充電時間が早いため、何らかの異常があると判断して、制御回路２内のメモリーの所定エリアにある「ＮＧフラグ」（充電ＮＧフラグ２）を設定する。
【０２０６】
Ｓ７２０は、表示手段９により、充電の問題を意味する警告表示（例えば、“Ｈ２”（Ｈｅｌｐマーク２）点滅）を行ない、次動作待機状態となる。
【０２０７】
Ｓ７２１は、Ｓ７１１と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２０８】
Ｓ７２２は、前記Ｓ７２１で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ７２４へ、ＨＶ≧Ｖｆｕｌｌでない場合はＳ７２３へ移行する。
【０２０９】
Ｓ７２３は、前記Ｓ７０９でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ７１４へ、Ｔ≧Ｔｆｕｌｌでない場合はＳ７２１へ移行する。
【０２１０】
Ｓ７２４は、ストロボ装置４の充電手段４−１の駆動を停止し、メインコンデンサＭＣへの充電を終了する。
【０２１１】
Ｓ７２５は、表示手段９により、ストロボの充電完了を示す表示（例えばイナズママークの点灯等）を行ない、次動作待機状態となる。
【０２１２】
以上が、本発明の第４の実施例においての上記図６におけるＳ４１１の充電動作２の詳細シーケンス（図９）である。
【０２１３】
なお、本実施例では、電源電圧に関する所定時間：Ｔｘの変化を、切換点を所定電圧：Ｚの１ポイントのみとして説明したが、本発明はそれに限られたものではなく、例えば、複数ポイントでの切換や、演算による係数で電源電圧に対するＴｘの変化を行なわせても何ら本発明の主旨に反するものではない。
【０２１４】
（第５の実施例）
本発明の第５の実施例を図１０を用いて説明する。
【０２１５】
なお、カメラの構成等は本発明第１の実施例と同様であり、既に説明済みであるため、ここでの説明は割愛する。
【０２１６】
また、レリーズスイッチ３がＯＮされた場合の制御回路２のシーケンスは、本発明の第２の実施例の図６と同様であるため、ここでの説明は割愛する。
【０２１７】
図１０は本発明の第５の実施例においての上記図６におけるＳ４１１の充電動作３の詳細シーケンスを示す。
【０２１８】
Ｓ８０１は、該制御回路２内のタイマー：Ｔをリセットする。
【０２１９】
Ｓ８０２は、図３のＳ１０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２２０】
Ｓ８０３は、前記Ｓ８０２で測定したメインコンデンサの充電電圧検出結果、すなわち、ストロボ充電開始前の充電電圧検出結果を基に、所定時間：Ｔｘを決定するための演算を行なう。
【０２２１】
例えば、０ＶからＶｆｕｌｌの充電を行なう場合の所定時間：Ｔｘを基準とし、Ｖｆｕｌｌ−ＨＶで充電残量を求め、その残量に見合った係数をＴｘにかけた値を判断基準：Ｔｘとする。
【０２２２】
すなわち、判断基準をストロボ充電開始前の充電電圧検出結果に見合った判断基準時間：Ｔｘに変更する。
【０２２３】
Ｓ８０４は、ストロボ装置４の充電手段４−１を駆動し、メインコンデンサＭＣへの充電を開始する。
【０２２４】
Ｓ８０５は、表示手段９により、ストロボの充電動作中を示す警告表示（例えばイナズママークの点滅等）を行なう。
【０２２５】
Ｓ８０６は、該制御回路２内のタイマー：Ｔのカウントをスタートする。
【０２２６】
Ｓ８０７は、前記Ｓ８０２で測定した充電電圧：ＨＶと比較電圧：Ｖ０ (本実施例では充電完了電圧の１／２〔例えば、２１０Ｖ〕)と比較し、ＨＶ＞Ｖ０の場合はＳ８１８へ、ＨＶ＞Ｖ０でない場合はＳ８０８へ移行する。
【０２２７】
Ｓ８０８は、Ｓ８０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２２８】
Ｓ８０９は、前記Ｓ８０８で測定した充電電圧：ＨＶと比較電圧：Ｖ１ (本実施例では充電完了電圧の８０％〔例えば、２５６Ｖ〕)と比較し、ＨＶ≧Ｖ１の場合はＳ８１４へ、ＨＶ≧Ｖ１でない場合はＳ８１０へ移行する。
【０２２９】
Ｓ８１０は、前記Ｓ８０６でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ８１１へ、Ｔ≧Ｔｆｕｌｌでない場合はＳ８０８へ移行する。
【０２３０】
Ｓ８１１は、ストロボ装置４の充電手段４−１の駆動を停止し、メインコンデンサＭＣへの充電を終了する。
【０２３１】
Ｓ８１２は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０２３２】
Ｓ８１３は、表示手段９により、充電の問題を意味する警告表示（例えば、“Ｈ１”（Ｈｅｌｐマーク１）点滅）を行ない、次動作待機状態となる。
【０２３３】
Ｓ８１４は、前記Ｓ８０６でカウントを開始したタイマー：Ｔを前記Ｓ８０３で設定した所定時間：Ｔｘと比較し、Ｔ＜Ｔｘの場合はＳ８１５へ、Ｔ＜Ｔｘでない場合はＳ８１８へ移行する。
【０２３４】
Ｓ８１５は、ストロボ装置４の充電手段４−１の駆動を停止し、メインコンデンサＭＣへの充電を終了する。
【０２３５】
Ｓ８１６は、所定時間：Ｔｘが経過する前に所定電圧：Ｖｘまでの充電がなされたとして、正常時よりも充電時間が早いため、何らかの異常があると判断して、制御回路２内のメモリーの所定エリアにある「ＮＧフラグ」（充電ＮＧフラグ２）を設定する。
【０２３６】
Ｓ８１７は、表示手段９により、充電の問題を意味する警告表示（例えば、“Ｈ２”（Ｈｅｌｐマーク２）点滅）を行ない、次動作待機状態となる。
【０２３７】
Ｓ８１８は、Ｓ８０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２３８】
Ｓ８１９は、前記Ｓ８１８で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ８２１へ、ＨＶ≧Ｖｆｕｌｌでない場合はＳ８２０へ移行する。
【０２３９】
Ｓ８２０は、前記Ｓ８０６でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ８１１へ、Ｔ≧Ｔｆｕｌｌでない場合はＳ８１８へ移行する。
【０２４０】
Ｓ８２１は、ストロボ装置４の充電手段４−１の駆動を停止し、メインコンデンサＭＣへの充電を終了する。
【０２４１】
Ｓ８２２は、表示手段９により、ストロボの充電完了を示す表示（例えばイナズママークの点灯等）を行ない、次動作待機状態となる。
【０２４２】
以上が、本発明の第５の実施例においての上記図６におけるＳ４１１の充電動作２の詳細シーケンス（図１０）である。
【０２４３】
なお、本実施例では、判定基準時間設定のファクターを充電電圧検出結果のみとして記載しているが、本発明の主旨としては、前記本発明の第３の実施例乃至第４の実施例のように、判定基準演算の係数に環境温度・電源電池電圧等のファクターを加えておいても何ら本発明の主旨に反するものではない。
【０２４４】
また、ここまでの説明は、全てカメラ内部のシーケンスとして使用していたが、本シーケンスは、例えばカメラ等の製品製造工程で使用される調整工具に適用することもできる。
【０２４５】
具体的には、充電完了電圧の検出精度を細かく調整する工程において、充電完了時間が早い場合、製造上の不良があるとして、再チェックをかける等の方法をとることも出来る。
【０２４６】
（第６の実施例）
本発明の第６の実施例を図１１乃至図１３を用いて説明する。
【０２４７】
本発明の第６の実施例は、上記第１の実施例乃至第５の実施例とは異なり、充電時間に応じてメインコンデンサＭＣの接続状況を推測し、異常状況があると判断された場合にも、状況に応じたストロボ撮影制御を行なうものである。
【０２４８】
図１１乃至図１３は本発明の第６の実施例におけるカメラのシーケンスフローチャートであり、図１１はレリーズスイッチ３がＯＮされた場合の制御回路２のシーケンスを示す。
【０２４９】
Ｓ９０１は、制御回路２内のメモリーの所定のエリアに動作不良発生を意味する「ＮＧフラグ」が設定されているか否かを判定し、設定されていれば（“１”ならば）該シーケンスを終了し待機状態へ、設定されていなければ（“１”でなければ）Ｓ９０２へ移行する。
【０２５０】
すなわち、「ＮＧフラグ」が設定されている場合、露光を行なわず（露光を禁止して）待機状態へ移行する。
【０２５１】
なお、動作不良が発生した場合、「ＮＧフラグ」設定時点で表示手段９等にその旨を警告する表示を行なうものであるため、「ＮＧフラグ」が確認された際には、使用者は表示手段による警告を確認できているものとする。
【０２５２】
Ｓ９０２は、該ＡＥ手段５により、周知の測光方法で被写体の明るさ：ＡＥを測定する。
【０２５３】
Ｓ９０３は、予め設定されている基準の明るさ：ＢとＳ９０２で測定した被写体の明るさ：ＡＥを比較し、 ＡＥ＜Ｂ であればＳ９０４へ、ＡＥ＜ＢでなければＳ９０７へ移行する。
【０２５４】
Ｓ９０４は、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２５５】
該充電電圧検出は、既に説明している通り、ＨＶを直接測定するわけではなく、分割抵抗を介した電圧ＨＶ’を測定し、該電圧：ＨＶ’からＨＶを求める。
【０２５６】
Ｓ９０５は、上記Ｓ９０４で求めたＨＶと充電完了判定電圧：Ｖｆｕｌｌを比較し、ＨＶ≧Ｖｆｕｌｌの場合はＳ９０７へ、ＨＶ≧Ｖｆｕｌｌでない場合はＳ９０６へ移行する。
【０２５７】
Ｓ９０６は、ストロボ充電動作１のシーケンスに入る。詳細は図１２で後述するが、該ステップＳ９０６の充電動作は、一般的な充電動作に加え、所定電圧：Ｖ１までの充電時間：Ｔを測定・判定して、制御回路２内のメモリーの所定エリアにある「ＭＣフラグ」を設定するものである。
【０２５８】
Ｓ９０７は、該ＡＦ手段６により、周知の測距方法で被写体の距離を測定する。
【０２５９】
Ｓ９０８は、Ｓ９０６の該ストロボ充電動作１シーケンスで設定された「ＭＣフラグ」の判定を行い、ＭＣフラグ＝０ならばＳ９０９へ、ＭＣフラグ＝０でなければＳ９１０へ移行する。
【０２６０】
Ｓ９０９は、ストロボ制御用テーブルとして、メインコンデンサＭＣの接続正常時の制御テーブルである“ストロボ制御テーブル１”を設定する。
【０２６１】
Ｓ９１０は、ストロボ制御用テーブルとして、メインコンデンサＭＣの接続異常時の制御テーブルである“ストロボ制御テーブル２”を設定する。
【０２６２】
前記ストロボ制御テーブルは、メインコンデンサ：ＭＣが正常の容量（ＭＣ１＋ＭＣ２）であった場合の光量を基準にしたストロボ制御テーブル１と、メインコンデンサ：ＭＣが異常の容量（ＭＣ１もしくはＭＣ２）であった場合の光量を基準にしたストロボ制御テーブル２となるものであり、本実施例では正常時と異常時でメインコンデンサＭＣの容量が１／２となるため、その分の発光タイミング補正がかかる。
【０２６３】
また、被写体距離を測定しストロボ到達距離範囲外の被写体であった場合に警告を行う機能を備えたカメラの場合、制御テーブルのみではなく、到達距離の補正も併せて行う。
【０２６４】
Ｓ９１１は、Ｓ９０２で測定した測光結果およびＳ９０７で測定した測距結果を基に、適正のピント・シャッター速度・ストロボ発光有無・ストロボ制御タイミング等の露光条件を求める演算を行なう。
【０２６５】
なお、該Ｓ９１１では、適正露光を得るためにストロボ発光させる必要がある場合は、該制御回路２内のメモリーの所定エリアにストロボ発光指示用のストロボ発光フラグを設定する。
【０２６６】
また、ストロボ発光制御に関しては、該Ｓ９０９もしくは該Ｓ９１０で設定したストロボ制御テーブルを使用して発光タイミング等の制御を決定する。
【０２６７】
Ｓ９１２は、上記Ｓ９１１で求めた露光条件に基づき該ＳＨ手段７の制御を行なう周知の露光動作を行なう。
【０２６８】
該Ｓ９１２では、上記Ｓ９１１で該ストロボ発光フラグが設定されている場合、ストロボ発光による露光動作を行なう。
【０２６９】
Ｓ９１３は、該給送手段８により、不図示のフィルムを移動させる（次の露光コマを不図示のアパーチャー位置に設定する）給送動作を行なう。
【０２７０】
Ｓ９１４はストロボ発光の履歴を確認する為、該制御回路２内のメモリーのストロボ発光フラグの状態を確認し、該ストロボ発光フラグがストロボ発光に設定されている場合（Ｓ９１２でストロボ発光した場合）はＳ９１５へ、該ストロボ発光フラグがストロボ発光に設定されていない場合は待機状態へ移行する。なお、該Ｓ９１４を終了する際は、判定動作後、ストロボ発光フラグのデータをリセットするものである。
【０２７１】
Ｓ９１５は、ストロボ発光直後の充電動作であるところの、ストロボ充電動作２のシーケンスに入る。詳細は図１３で後述するが、該ステップＳ９１５の充電動作は、発光後であり残電圧はほとんど同じ状況になるので、ＮＧチェック動作は充電完了までの時間が基準値:Ｔｆｕｌｌ未満か否かの確認、および、所定電圧：Ｖ１までの充電時間が基準時間：Ｔｘ以上か否かの確認を行なうものである。
【０２７２】
該Ｓ９１５を終了したら該制御回路２は操作待機状態となる。
【０２７３】
以上が、本発明の第６の実施例のレリーズスイッチ３がＯＮされた場合の制御回路２のシーケンスである。
【０２７４】
図１２は上記図１１におけるＳ９０６の充電動作１の詳細シーケンスを示す。
【０２７５】
Ｓ１００１は、該制御回路２内のタイマー：Ｔをリセットする。
【０２７６】
Ｓ１００２は、図１１のＳ９０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２７７】
Ｓ１００３は、ストロボ装置４の充電手段４−１を駆動し、メインコンデンサＭＣへの充電を開始する。
【０２７８】
Ｓ１００４は、表示手段９により、ストロボの充電動作中を示す警告表示（例えばイナズママークの点滅等）を行なう。
【０２７９】
Ｓ１００５は、該制御回路２内のタイマー：Ｔのカウントをスタートする。
【０２８０】
Ｓ１００６は、Ｓ１００２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２８１】
Ｓ１００７は、前記Ｓ１００６で測定した充電電圧：ＨＶと比較電圧：Ｖ１ (本実施例では充電完了電圧の８０％〔例えば、２５６Ｖ〕)と比較し、ＨＶ≧Ｖ１の場合はＳ１０１２へ、ＨＶ≧Ｖ１でない場合はＳ１００８へ移行する。
【０２８２】
Ｓ１００８は、前記Ｓ１００５でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ１００９へ、Ｔ≧Ｔｆｕｌｌでない場合はＳ１００６へ移行する。
【０２８３】
Ｓ１００９は、ストロボ装置４の充電手段４−１の駆動を停止し、メインコンデンサＭＣへの充電を終了する。
【０２８４】
Ｓ１０１０は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０２８５】
Ｓ１０１１は、表示手段９により、充電の問題を意味する警告表示（例えば、“Ｈ１”（Ｈｅｌｐマーク１）点滅）を行ない、次動作待機状態となる。
【０２８６】
Ｓ１０１２は、前記Ｓ１００５でカウントを開始したタイマー：Ｔを所定時間：Ｔｘ (本実施例では正常時のメインコンデンサＭＣが０Ｖ〜Ｖｘできるまでの時間の１／２の約１．２倍〔例えば、２ｓｅｃ〕)と比較し、Ｔ＜Ｔｘでない場合はＳ１０１３へ、Ｔ＜Ｔｘの場合はＳ１０１６へ移行する。
【０２８７】
Ｓ１０１３は、制御回路２内のメモリーの所定エリアにある「ＭＣフラグ」を“０”に設定する。
【０２８８】
Ｓ１０１４は、制御回路２内のメモリーの所定エリアにある「ＭＣフラグ」を“１”に設定する。
【０２８９】
Ｓ１０１５は、Ｓ１００６と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２９０】
Ｓ１０１６は、前記Ｓ１０１５で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ１０１８へ、ＨＶ≧Ｖｆｕｌｌでない場合はＳ１０１７へ移行する。
【０２９１】
Ｓ１０１７は、前記Ｓ１００５でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ１００９へ、Ｔ≧Ｔｆｕｌｌでない場合はＳ１０１５へ移行する。
【０２９２】
Ｓ１０１８は、ストロボ装置４の充電手段４−１の駆動を停止し、メインコンデンサＭＣへの充電を終了する。
【０２９３】
Ｓ１０１９は、表示手段９により、ストロボの充電完了を示す表示（例えばイナズママークの点灯等）を行ない、次動作待機状態となる。
【０２９４】
以上が、上記図１１におけるＳ９０６の充電動作１の詳細シーケンスである。
【０２９５】
図１３は上記図１１におけるＳ９１５の充電動作２の詳細シーケンスを示す。
【０２９６】
図１２は上記図１１におけるＳ９０６の充電動作１の詳細シーケンスを示す。
【０２９７】
Ｓ１１０１は、該制御回路２内のタイマー：Ｔをリセットする。
【０２９８】
Ｓ１１０２は、図１１のＳ９０４と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０２９９】
Ｓ１１０３は、ストロボ装置４の充電手段４−１を駆動し、メインコンデンサＭＣへの充電を開始する。
【０３００】
Ｓ１１０４は、表示手段９により、ストロボの充電動作中を示す警告表示（例えばイナズママークの点滅等）を行なう。
【０３０１】
Ｓ１１０５は、該制御回路２内のタイマー：Ｔのカウントをスタートする。
【０３０２】
Ｓ１１０６は、Ｓ１１０２と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０３０３】
Ｓ１１０７は、前記Ｓ１１０６で測定した充電電圧：ＨＶと比較電圧：Ｖ１ (本実施例では充電完了電圧の８０％〔例えば、２５６Ｖ〕)と比較し、ＨＶ≧Ｖ１の場合はＳ１１１２へ、ＨＶ≧Ｖ１でない場合はＳ１１０８へ移行する。
【０３０４】
Ｓ１１０８は、前記Ｓ１１０５でカウントを開始したタイマー：Ｔを所定時間：Ｔｆｕｌｌ(本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ１１０９へ、Ｔ≧Ｔｆｕｌｌでない場合はＳ１１０６へ移行する。
【０３０５】
Ｓ１１０９は、ストロボ装置４の充電手段４−１の駆動を停止し、メインコンデンサＭＣへの充電を終了する。
【０３０６】
Ｓ１１１０は、所定時間：Ｔｆｕｌｌを経過しても充電完了出来ないため、何らかの異常があると判断して、制御回路２内のメモリーの所定エリアにある「ＮＧフラグ」（充電ＮＧフラグ１）を設定する。
【０３０７】
Ｓ１１１１は、表示手段９により、充電の問題を意味する警告表示（例えば、“Ｈ１”（Ｈｅｌｐマーク１）点滅）を行ない、次動作待機状態となる。
【０３０８】
Ｓ１１１２は、前記Ｓ１１０５でカウントを開始したタイマー：Ｔを所定時間：Ｔｘ (本実施例では正常時のメインコンデンサＭＣが０Ｖ〜Ｖｘできるまでの時間の１／２の約１．２倍〔例えば、２ｓｅｃ〕)と比較し、Ｔ＜Ｔｘでない場合はＳ１１１７へ、Ｔ＜Ｔｘの場合はＳ１１１３へ移行する。
【０３０９】
Ｓ１１１３は、前記Ｓ１１０５でカウントを開始したタイマー：Ｔを所定時間：Ｔｆ (本実施例では正常時のメインコンデンサＭＣが０Ｖ〜Ｖｘできるまでの時間の１／１０)と比較し、Ｔ＜Ｔｆでない場合はＳ１１１８へ、Ｔ＜Ｔｘの場合はＳ１１１４へ移行する。
【０３１０】
Ｓ１１１４は、ストロボ装置４の充電手段４−１の駆動を停止し、メインコンデンサＭＣへの充電を終了する。
【０３１１】
Ｓ１１１５は、所定時間：Ｔｆが経過する前に所定電圧：Ｖｘまでの充電がなされたとして、ストロボ発光直後からの充電にもかかわらず極めて短い時間で充電完了信号が発生しているため、充電電圧検出手段４−２に何らかの不具合があると判断し、制御回路２内のメモリーの所定エリアにある「ＮＧフラグ」（充電ＮＧフラグ２）を設定する。
【０３１２】
Ｓ１１１６は、表示手段９により、充電の問題を意味する警告表示（例えば、“Ｈ２”（Ｈｅｌｐマーク２）点滅）を行ない、次動作待機状態となる。
【０３１３】
Ｓ１１１７は、制御回路２内のメモリーの所定エリアにある「ＭＣフラグ」を“０”に設定する。
【０３１４】
Ｓ１１１８は、制御回路２内のメモリーの所定エリアにある「ＭＣフラグ」を“１”に設定する。
【０３１５】
Ｓ１１１９は、Ｓ１１０６と同様に、該充電電圧検出回路４−２および該制御手段２のＡ／Ｄコンバーターを使用し、発光エネルギー蓄積用コンデンサ：ＭＣ（ＭＣ１およびＭＣ２）に充電されている電圧：ＨＶを測定する。
【０３１６】
Ｓ１１２０は、前記Ｓ１１１９で測定した充電電圧：ＨＶと比較電圧：Ｖｆｕｌｌ(本実施例では充電完了電圧〔例えば、３２０Ｖ〕)と比較し、ＨＶ≧Ｖｆｕｌｌの場合はＳ１１２２へ、ＨＶ≧Ｖｆｕｌｌでない場合はＳ１１２１へ移行する。
【０３１７】
Ｓ１１２１は、前記Ｓ１１０５でカウントを開始したタイマー：Ｔを所定時間：Ｔｆｕｌｌ (本実施例では正常時のメインコンデンサＭＣが０Ｖ〜充電完了できるまでの時間の約１．４倍〔例えば、８．４ｓｅｃ〕)と比較し、Ｔ≧Ｔｆｕｌｌの場合はＳ１１０９へ、Ｔ≧Ｔｆｕｌｌでない場合はＳ１１１９へ移行する。
【０３１８】
Ｓ１１２２は、ストロボ装置４の充電手段４−１の駆動を停止し、メインコンデンサＭＣへの充電を終了する。
【０３１９】
Ｓ１１２３は、表示手段９により、ストロボの充電完了を示す表示（例えばイナズママークの点灯等）を行ない、次動作待機状態となる。
【０３２０】
以上が、上記図１１におけるＳ９１５の充電動作２の詳細シーケンスである。
【０３２１】
なお、上記本発明の第６の実施例では、充電時間によってストロボの制御を切り換える手段として、テーブルを切り換える方法を説明したが、本発明はそれに限ったものではなく、例えば、正常時を通常と考え、異常発生時に演算（例えば正常時の情報に係数をかけて補正を行なう）等の手法で制御を切り換えても何ら本発明の主旨に反するものではない。
【０３２２】
また、今まで説明した本発明第１乃至第６の実施例は、銀塩フィルム使用のカメラで説明したが、本発明はそれに限定されたものではなく、例えば、デジタルカメラ等の光学機器にも有効であることを明示しておく。
【図面の簡単な説明】
【０３２３】
【図１】本発明第１の実施例におけるカメラの主要部分の回路ブロック図
【図２】本発明第１の実施例におけるストロボの充電電圧検出回路図
【図３】本発明第１の実施例におけるレリーズスイッチＯＮ時の制御回路２シーケンス
【図４】本発明第１の実施例における充電動作１の詳細シーケンス
【図５】本発明第１の実施例における充電動作２の詳細シーケンス
【図６】本発明第２の実施例におけるレリーズスイッチＯＮ時の制御回路２シーケンス
【図７】本発明第２の実施例における充電動作３の詳細シーケンス
【図８】本発明第３の実施例における充電動作３の詳細シーケンス
【図９】本発明第４の実施例における充電動作３の詳細シーケンス
【図１０】本発明第５の実施例における充電動作３の詳細シーケンス
【図１１】本発明第６の実施例におけるレリーズスイッチＯＮ時の制御回路２シーケンス
【図１２】本発明第６の実施例における充電動作１の詳細シーケンス
【図１３】本発明第３の実施例における充電動作２の詳細シーケンス
【図１４】本発明の充電電圧検出手段におけるメインコンデンサＭＣの充電カーブ
【符号の説明】
【０３２４】
１  電源電池
２  制御回路
３  レリーズスイッチ
４  ストロボ装置
４−１  充電手段
４−２  充電電圧検出回路
４−３  発光制御手段
ＭＣ１／ＭＣ２  メインコンデンサ
Ｘｅ  キセノン管（発光体）
５  測光手段
６  測距手段
７  シャッター手段
８  フィルム給送手段
９  表示手段
Ｒ１／Ｒ２  分圧抵抗
Ｄ１／Ｄ２  逆流防止ダイオード
Ｃ１  平滑コンデンサ
【図１】
2007219148.tif 000003
【図２】
2007219148.tif 000004
【図３】
2007219148.tif 000005
【図４】
2007219148.tif 000006
【図５】
2007219148.tif 000007
【図６】
2007219148.tif 000008
【図７】
2007219148.tif 000009
【図８】
2007219148.tif 000010
【図９】
2007219148.tif 000011
【図１０】
2007219148.tif 000012
【図１１】
2007219148.tif 000013
【図１２】
2007219148.tif 000014
【図１３】
2007219148.tif 000015
【図１４】
2007219148.tif 000016